(57)【要約】【課題】背フレームを連結するための回転軸について、コスト増大や組立工程の複雑化を招くことなくこれを無理なく覆い隠し、しかもデザイン上の自由度向上が可能な椅子を提供する。【解決手段】左右に離間して対をなし背もたれ７を支持する背フレーム５と、座６を支持する座受４と、脚構造体ＫＫとを備え、前記背フレーム５に設定した座受結合部位５ａ及び脚構造体結合部位５ｂを、前記座受４及び脚構造体ＫＫにそれぞれ第１、第２の回転軸４６、３５を介して回転可能に結合することにより、前記背もたれ７及び座６を通常姿勢Ｐと後傾姿勢Ｑとの間で同期して傾動動作させるようにしたものであって、前記座受結合部位５ａに、内向き面に開口し外向き面には開口しない第１の有底穴５３を形成し、この第１の有底穴５３に座受４側から突出させた前記第１の回転軸４６を嵌合させるようにした。【選択図】図５
2004033450.tif 000002
【特許請求の範囲】
【請求項１】
左右に離間して対をなし背もたれを支持する背フレームと、座を支持する座受と、脚構造体とを備え、前記背フレームに設定した座受結合部位及び脚構造体結合部位を、前記座受及び脚構造体にそれぞれ第１、第２の回転軸を介して回転可能に結合することにより、前記背もたれ及び座を通常姿勢と後傾姿勢との間で同期して傾動動作させるようにしたものであって、
前記座受結合部位に、内向き面に開口し外向き面には開口しない第１の有底穴を形成し、この第１の有底穴に座受側から突出させた前記第１の回転軸を嵌合させるようにしていることを特徴とする椅子。
【請求項２】
左右に離間して対をなし背もたれを支持する背フレームと、座を支持する座受と、脚構造体とを備え、前記背フレームに設定した座受結合部位及び脚構造体結合部位を、前記座受及び脚構造体にそれぞれ第１、第２の回転軸を介して回転可能に結合することにより、前記背もたれ及び座を通常姿勢と後傾姿勢との間で同期して傾動動作させるようにしたものであって、
前記座受結合部位の内向き面から内向きに前記第１の回転軸を突出させ、この回転軸を座受側で支持させていることを特徴とする椅子。
【請求項３】
前記脚構造体結合部位に、内向き面に開口し外向き面には開口しない第２の有底穴を形成し、この第２の有底穴に脚構造体側から突出させた第２の回転軸を嵌合させるようにしていることを特徴とする請求項１又は２記載の椅子。
【請求項４】
前記脚構造体結合部位の内向き面から内向きに第２の回転軸を突出させ、この第２の回転軸を脚構造体側で支持させていることを特徴とする請求項１又は２記載の椅子。
【請求項５】
背フレームの厚み寸法を前記回転軸の直径よりも大きく設定している請求項１、２、３又は４記載の椅子。
【請求項６】
座受側に前記第１の回転軸を支持する第１の軸受部を設けたものであって、この第１の軸受部が前記第１の回転軸を完全に覆うものである請求項１、２、３、４又は５記載の椅子。
【請求項７】
脚構造体側に前記第２の回転軸を支持する第２の軸受部を設けたものであって、この第２の軸受部が前記第２の回転軸を完全に覆うものである請求項１、２、３、４、５又は６記載の椅子。
【請求項８】
前記背フレームの外側方への抜け止め構造をさらに備えたものであって、その抜け止め構造が、座受及び脚構造体に結合した背フレーム間に連結部材を掛け渡し各背フレームの互いに離間する方向への動作を禁止するようにしたものである請求項１、２、３、４、５、６又は７記載の椅子。
【請求項９】
座の少なくとも前後方向中間部に屈曲又は湾曲可能な曲げ部を設け、座の後部を座の前部に対して傾動動作可能に構成したものであって、前記連結部材に座の後部を支持させている請求項８記載の椅子。
【請求項１０】
座と座受との間に介在し座を座受に対し前後にスライド移動可能に支持するスライド機構をさらに備えたものであって、前記連結部材にスライド支持部を設け前記スライド機構の機能を一部担わせている請求項８又は９記載の椅子。
【請求項１１】
背フレームが型成形により製作されたものである請求項１、２、３、４、５、６、７、８、９又は１０記載の椅子。
【発明の詳細な説明】
【０００１】
【発明の属する技術分野】
本発明は、左右に離間して対をなす背フレームを、座受及び脚構造体に回転可能に支持させて、座及び背もたれをシンクロ傾動可能に構成した椅子に関するものである。
【０００２】
【従来の技術】
従来、座及び背もたれをシンクロ傾動可能に構成した種々の椅子が開発されている。代表的なものとしては、脚及び脚の上端に設けた支持体を有する脚構造体と、前記脚構造体に前端部をスライドかつ回転可能に連結した座受と、前記脚構造体に基端部を回転可能に連結するとともにその基端部から偏位した部位を座の後端部に回転可能に連結した左右一対の背フレームとを有したものが知られている。そして、これら各部材の連結は、左右に貫通する貫通孔を設け、その貫通孔に回転軸を通すことにより行い、また回転軸の抜け止めのためにＣリング等を用いる場合もある。
【０００３】
【発明が解決しようとする課題】
一方、かかる構成であると回転軸が外部に露出し、外観上好ましくないうえに、グリースで使用者の衣服が汚れたり、グリース部分に埃が付着したりする恐れがあることから、回転軸の露出部分を何らかのカバーで覆わざるを得ない。特に背フレームが最も外側方に位置する関係上、背フレームと座受又は脚構造体とを回転可能に連結する回転軸に関しては、前記カバーが必須のものとなる。
【０００４】
しかしながら、そのようなカバーは組立工程を複雑にしコスト増大を招くうえに、デザイン上のネックとなって椅子全体としての一体感を損ない、必ずしも外観に好影響を与えるとは限らない。
【０００５】
そこで本発明は、上述した不具合を解決し、この種の椅子において、特に背フレームを連結するための回転軸について、コスト増大や組立工程の複雑化を招くことなくこれを無理なく覆い隠し、しかもデザイン上の自由度向上が可能な椅子を提供することをその所期の課題としたものである。
【０００６】
【課題を解決するための手段】
すなわち本発明に係る椅子は、左右に離間して対をなし背もたれを支持する背フレームと、座を支持する座受と、脚構造体とを備え、前記背フレームに設定した座受結合部位及び脚構造体結合部位を、前記座受及び脚構造体にそれぞれ第１、第２の回転軸を介して回転可能に結合することにより、前記背もたれ及び座を通常姿勢と後傾姿勢との間で同期して傾動動作させる基本構造を有するものであって、前記座受結合部位に、内向き面に開口し外向き面には開口しない第１の有底穴を形成し、この第１の有底穴に座受側から突出させた前記第１の回転軸を嵌合させるようにするか、又は前記座受結合部位の内向き面から内向きに前記第１の回転軸を突出させ、この回転軸を座受側に支持させるようにしたことを特徴とするものである。
【０００７】
このようなものであれば、背フレームそのものが回転軸を外側方から覆い隠すカバーの役割も兼ねるため、専用のカバーを有するものに比べコスト削減が可能となるうえ、カバーを取り付ける工程をも省略できる。さらに、単独のカバーが存在しないことから、椅子全体の一体感を損なうことなくデザイン上の設計自由度も向上する。特に座受と背フレームとを結合する回転軸は、着座者の手が届きやすく、しかも比較的目立つ部位に設定されるため、その効果が顕著なものとなる。
【０００８】
本発明の効果をさらに大きなものとするには、前記脚構造体結合部位に、内向き面に開口し外向き面には開口しない第２の有底穴を形成し、この第２の有底穴に脚構造体側から突出させた前記第２の回転軸を嵌合させるか、又は前記脚構造体結合部位の内向き面から内向きに前記第２の回転軸を突出させ、この回転軸を脚構造体側に支持させるようにしているものが好ましい。もちろん、その他、背フレームに連結されている全ての回転軸を上記構造により覆い隠せば、コスト、外観等においてより有利なものとなる。
【０００９】
背フレームに回転軸を連結していることを外観上感じさせないようにし、シンプル性を強調するためには、背フレームの厚み寸法を前記回転軸の直径よりも大きく設定しているものが好適である。
【００１０】
例えば使用者が椅子を持ち上げたりする際に、回転軸に触れ、グリースでその者の衣服が汚れたり、グリース部分に埃が付着したりする恐れを防止するには、座受側に前記回転軸を支持する軸受部を設けたものであって、この軸受部が前記回転軸を完全に覆うようにしたものが望ましい。さらに同様の理由から脚構造体側に前記回転軸を支持する軸受部を設けたものであって、この軸受部が前記回転軸を完全に覆うようにしておけば、なお好ましい。
【００１１】
上述した構成であると、前記背フレームの外側方への抜け止め構造を設ける必要がある。かかる抜け止め構造の好適な態様としては、座受及び脚構造体に結合した背フレーム間に連結部材を掛け渡し各背フレームの互いに離間する方向への動作を禁止するようにしたものを挙げることができる。かかる構成にしておけば、連結部材に種々の機能を兼備させることができるからである。
【００１２】
そのように連結部材に種々の機能を兼備させる態様としては、前記連結構造を利用して座の後部の前部に対する傾動角度を変えるようにしたものが挙げられる。具体的には、座の少なくとも前後方向中間部に屈曲又は湾曲可能な曲げ部を設け、座の後部を座の前部に対して傾動動作可能に構成するとともに、前記連結部材に座の後部を支持させておく態様が考えられる。ここで「中間部」とは前端と後端との間という意味である。なお、曲げ部の位置は少なくとも前後方向中間部にあればよく、座全体が曲がるようなものでも構わない。
【００１３】
一方、前記連結部材は、座の前後スライドに利用することもできる。そのためには、座と座受との間に介在し座を座受に対し前後にスライド移動可能に支持するスライド機構をさらに備えたものであって、前記連結部材にスライド支持部を設け前記スライド機構の機能を一部担わせる態様が考えられる。
【００１４】
かかる構成の背フレームにおける望ましい製作方法としては、型成形によるものを挙げることができる。
【００１５】
【発明の実施の形態】
以下に本発明の一実施形態について図面を参照して説明する。
【００１６】
本実施形態に係る椅子Ｃは、図１、図２に示すように、構造体としての基盤をなす椅子本体１に、座６及び背もたれ５Ａを取り付けてなるものである。この椅子本体１は、脚２及び脚２の上端側に取り付けた支持体３からなる脚構造体ＫＫと、この脚構造体ＫＫの上方に位置する座受４と、これら脚構造体ＫＫ及び座受４の外側方に位置し、左右に離間して対をなす背フレーム５とを備えてなる。
【００１７】
そして、前記支持体３に、座受４の前端部を前後スライドかつ回転可能に連結するとともに、前記背フレーム５の基端部に設定した脚構造体結合部位５ｂ及び中間部に設定した座受結合部位５ａを、前記支持体３の上後端部及び前記座受４の後端部に、それぞれ第２の回転軸たる前背フレーム取付軸Ｘ２及び第１回転軸たる後背フレーム取付軸Ｘ１を介して回転可能に連結することによって、前記背フレーム５に支持させた背もたれ５Ａ及び座受４に支持させた座６が、通常姿勢Ｐと後傾姿勢Ｑとの間で同期して傾動動作するようにしている。
【００１８】
各部を詳述する。
【００１９】
脚２は、５本の脚羽根２１の中央から支柱２２を立ち上げた構造をなし、支柱２２は昇降可能であって内部に図示しないガススプリング機構を組み込んでいる。
【００２０】
支持体３は、前記支柱２２の上端部に回転可能に取り付けた概略舟形をなすもので、図４に示すように、前方に水平に延びその一部に支柱２２を上下方向に貫通させてなる底壁３１と、この底壁３１の前端から斜め前方に傾斜して立ち上がる前傾斜壁３２と、これら底壁３１及び前傾斜壁３２の周囲より起立して前記底壁３１及び前傾斜壁３２とともに内側に上方に開口する機構部収納空間を形成する側壁３３とを具備する。そして前記側壁３３の前部間に亘って、前座受取付軸Ｘ３を貫通させている。この前座受取付軸Ｘ３は、各側壁３３に設けた前後に伸びる長孔Ｎにより前後にスライド可能に支持されている。各側壁３３の後部には貫通孔がそれぞれ設けてあって、底壁３１上方を横断する位置に、側壁３３間に亘って前背フレーム取付軸Ｘ２を貫通させている。
【００２１】
座受４は、図３、図５、図６に示すように、前記支持体３上に位置し、スライド機構９を介して座６を前後スライド可能に支持するものである。この座受４は、前後に延びる一対の縦フレーム４１と、これら縦フレーム４１の中間部間及び後端部間を連結する位置に横架した横フレーム４２、４３とを具備するもので、概略井桁状をなす。各縦フレーム４１の前端部間の離間距離は、後端部間のそれよりも大きく設定してあって、この縦フレーム４１の前端部間に、前記支持体３の前端部が位置するように設定している。なお、この前座受取付軸Ｘ３の各端面は、前記支持体３を外側方から覆うとともにこの座受４の前端部を外側方から覆うカバーＣＡによって外観不能に覆い隠されている。一方、前記横フレーム４２、４３のうち後側のもの４３は、円筒状をなす中空パイプであり、その内部に前記後背フレーム取付軸Ｘ１を樹脂製スリーブＳＬ１を介して貫通させてある。又、各縦フレーム４１の前端部には、左右に貫通する貫通孔を設けてあって、これら貫通孔に前座受取付軸Ｘ３の各端部を貫通させてある。前記スライド機構９は、前記縦フレーム４１の上端外側面に沿って前後に延びるように一体に設けた鍔状をなす案内部材９１、９２と、座６を構成する座シェル６１の下面から突出する左右一対の内向き鉤部９３、９４（図７にその部分断面図を示す）とを備え、この鉤部９３、９４を前記案内部材９１、９２に外側方から抱くように係合させて座６を前後にスライド可能に支持するものである。
【００２２】
背フレーム５は、図６等に示すように、インジェクション成形により製作してなる金属製のもので、側面視概略くの字型に屈曲する形状をなす。具体的には通常姿勢Ｐにおいてその下半部５１が後方に向かうに連れ徐々に上昇し、上半部５２は上方に向かうに連れ徐々に前方に向かうように設定してある。そして、その基端部（下端部）に設定した脚構造体結合部位５ｂにおいて、前記前背フレーム取付軸Ｘ２に連結されるとともに、前記脚構造体結合部位５ｂから後方に偏位させた部位に設定した座受結合部位５ａにおいて、前記後背フレーム取付軸Ｘ１に連結されている。
【００２３】
しかして本実施形態においては、図５、図６等に示すように、背フレーム５における前記座受結合部位５ａ及び脚構造体結合部位５ｂに、内向き面に開口し外向き面には開口しない第１及び第２の有底穴５３、５４を形成するとともに、これら各有底穴５３、５４に座受４側から突出させた前記後背フレーム取付軸Ｘ１及び支持体３側から突出させた前背フレーム取付軸Ｘ２を嵌合させるようにしている。
【００２４】
より具体的に説明すると、前記座受結合部位５ａには、内方に所定距離突出する第１の突出部５５が設けてあって、この第１の突出部５５の内向き面に断面円形状の第１の有底穴５３を開口させている。この有底穴５３は奥に行くに連れその断面が小さくなるもので、ここに外周が前記有底穴５３の内周と対応する形状をなす樹脂製スリーブＳＬ２を嵌め込むことにより、この樹脂製スリーブＳＬ２を介して前記有底穴５３に前記後背フレーム取付軸Ｘ１の端部をがたなく支持させている。なお、前記第１の突出部５５の外径寸法は、背フレーム５の厚み寸法と同一又は若干小さく設定してあって、側面視この突出部５５が背フレーム５に隠されて見えないように構成している。
【００２５】
また、前記脚構造体結合部位５ｂにおいても、前記同様、内方に所定距離突出する第２の突出部５６が設けてあって、この第２の突出部５６の内向き面に断面円形状の第２の有底穴５４を開口させている。この第２有底穴５４は奥に行くに連れその断面が小さくなるもので、ここに外周が前記有底穴５４の内周と対応する形状をなす樹脂製スリーブＳＬ３を嵌め込むことにより、この樹脂製スリーブＳＬ３を介して第２有底穴５４に前記前背フレーム取付軸Ｘ２の端部を支持させている。
【００２６】
一方、上述したように背フレーム５を外側方から嵌め込むだけの構成であると、前記背フレーム５の抜け止め構造７を設ける必要がある。本実施形態では、この抜け止め構造７として、座受４及び脚構造体ＫＫに結合した背フレーム５間に連結部材７１を掛け渡し各背フレーム５の互いに離間する方向への動作を禁止するようにしている。
【００２７】
この連結部材７１は、図５、図６に示すように、前記各背フレーム５の下半部における後側、具体的には前記後背フレーム取付軸Ｘ１よりも後側に架け渡され、当該背フレーム下半部５１の傾斜方向に沿って傾斜するように構成した板状をなすものである。そしてその両側部を背フレーム５から内側方に突出させた支持板部５７にねじ止めするようにしている。詳述すると、この連結部材７１は、中央板部７１１と、この中央板部７１１の両側縁から一体に屈曲垂下させた起立板部７１２と、これら起立板部７１２の下端縁から外側方に一体に屈曲延伸させた取付板部７１３とを備えたものであり、これら取付板部７１３を前記支持板部５７にねじ止め固定している。また本実施形態では、前記中央板部７１１に座６の後部を支持させるようにしている。そして、この中央板部７１１の各側縁からは、前記起立板部７１２を一部切り起こすようにして左右に延伸させた鍔状をなすスライド支持部９５を設けるとともに、このスライド支持部９５に、座シェル６１の下面から突出させた左右一対の内向き鉤部９６（図７にその部分断面図を示す）を外側方から抱くように係合させ、座シェル６１の後部（座６の後部）を連結部材７１の傾斜方向に沿ってスライド可能に支持させている。すなわち、このスライド支持部９５及び前記鉤部９６により設け前記スライド機構９の機能を一部担わせている。
【００２８】
ここで座シェル６１について説明しておくと、この座シェル６１は、図５、図４に示すように、その上方にクッション６２を取り付けて座６を構成するもので、その前後方向中央部よりやや後方よりに屈曲又は湾曲可能な曲げ部６１ａを設け、その曲げ部６１ａを境にして後部を前部に対して傾動可能に構成した樹脂製板状をなすものである。前記曲げ部６１ａは、左右に延伸する有底溝６１ａ１を複数設け、その部分における可撓性を他の部分よりも高めるようにしたもので、背フレーム５の傾動角度に応じて座６において曲げ部６１ａよりも後部の前部に対する傾斜角度を変化させ、座り心地の向上に寄与させている。
【００２９】
なお、本実施形態にかかる椅子Ｃは、その他に座昇降機構や、背座を常に通常姿勢側に付製する反力機構、背もたれ面の下部を突没させるランバーサポート機構等を有する多機能タイプのものであるが、本実施形態ではそれらの説明を省略する。
【００３０】
このように構成した本実施形態によれば、背フレーム５そのものが各回転軸３５、４６を外側方から覆い隠すカバーの役割も兼ねるため、専用のカバーを有するものに比べコスト削減が可能となるうえ、組立工程も低減できる。さらに、単独のカバーが存在しないことから、椅子全体の一体感を損なうことなくデザイン上の設計自由度も向上する。特に座受４と背フレーム５とを結合する後背フレーム取付軸Ｘ１は、着座者の手が届きやすく、しかも比較的目立つ部位に設定されるため、その効果が顕著なものとなる。
【００３１】
また、特に本実施形態では、背フレーム５の中間に位置し、後背フレーム取付軸Ｘ１に連結されている前記第１の突出部５５の外径寸法を、その近傍に略等しい厚みを保って延びる背フレーム５のその厚み寸法と同一又は若干小さく設定してあって、側面視この突出部５５が背フレーム５に隠されて見えないように構成しているため、背フレーム５の中間に後背フレーム取付軸Ｘ１を連結していることを外観上感じさせず、シンプル性等を強調することができる。
【００３２】
また、座受４の横フレーム４３が左右に亘る円筒状をなす中空パイプであり、その内部に後背フレーム取付軸Ｘ１を貫通させて軸受部としての役割を担うところ、この横フレーム４３が、背フレーム５側の第１有底穴５３、５４と併せて、前記後背フレーム取付軸Ｘ１を完全に覆い隠すので、例えば使用者が椅子Ｃを持ち上げたりする際に、後背フレーム取付軸Ｘ１に触れ、グリースでその者の衣服が汚れたり、グリース部分に埃が付着したりすることを防止でき、外観上も好ましいものとなる。
【００３３】
また、前記連結部材７１に座６の後部の支持やスライド機能の付与等、種々の機能を兼備させているため、部品点数の削減を図ることができる。
【００３４】
なお、本発明は以上に述べた実施形態に限られない。
【００３５】
例えば、第２の回転軸たる前背フレーム取付軸、第１の回転軸たる後背フレーム取付軸を、背フレームの内面から内方に突出させるようにしてもよい。また、シンクロチルト可能な椅子であれば、その構造や各部の形状等が異なっても構わない。
【００３６】
その他本発明は上記各図示例に限られず、その趣旨を逸脱しない範囲で種々変形が可能であるのは言うまでもない。
【００３７】
【発明の効果】
以上に詳述したように、本発明によれば、背フレームそのものが回転軸を外側方から覆い隠すカバーの役割も兼ねるため、専用のカバーを有するものに比べコスト削減が可能となるうえ、カバーを取り付ける工程をも省略できる。さらに、単独のカバーが存在しないことから、椅子全体の一体感を損なうことなくデザイン上の設計自由度も向上する。特に座受と背フレームとを結合する回転軸は、着座者の手が届きやすく、しかも比較的目立つ部位に設定されるため、その効果が顕著なものとなる。
【図面の簡単な説明】
【図１】本発明の一実施形態に係る椅子の正面図。
【図２】同実施形態に係る椅子の側面図。
【図３】同実施形態に係る椅子の支持体及び背フレームを主として示す平面図。
【図４】同実施形態に係る椅子の支持体付近を示す縦断面図。
【図５】同実施形態に係る椅子の座受及び背フレームを主として示す斜視図。
【図６】同実施形態に係る椅子の座受及び背フレームを主として示す分解斜視図。
【図７】同実施形態に係る椅子のスライド機構を示す部分横断面図。
【符号の説明】
Ｃ・・・椅子
３５・・・第２の回転軸（前背フレーム取付軸）
４・・・座受
４３・・・軸受部（横フレーム）
４６・・・第１の回転軸（後背フレーム取付軸）
５・・・背フレーム
５３・・・第１の有底穴
５４・・・第２の有底穴
５Ａ・・・背もたれ
５ａ・・・座受結合部位
５ｂ・・・脚構造体結合部位
６・・・座
６１ａ・・・曲げ部
７・・・抜け止め構造
７１・・・連結部材
９・・・スライド機構
９５・・・スライド支持部
ＫＫ・・・脚構造体
Ｐ・・・通常姿勢
Ｑ・・・後傾姿勢
【図１】
2004033450.tif 000003
【図２】
2004033450.tif 000004
【図３】
2004033450.tif 000005
【図４】
2004033450.tif 000006
【図５】
2004033450.tif 000007
【図６】
2004033450.tif 000008
【図７】
2004033450.tif 000009